(57)【要約】【課題】  患者の音声が小さくて受話音量の調節に限界がある場合でも正常に通話できることを課題とする。【解決手段】ナースコール親機において、ナースコール子機との通話中にナースコール子機のスピーカ音量及びマイクロフォンの音量を増減できる操作手段を持ち、ナースコール親機での音量調節信号が音声を伝送する通信線に多重化されてナースコール子機へ送られる手段、または音声を伝送する通信線と独立した通信線によって音量調節信号が送られる手段と、音量調節信号を受けたナースコール子機は、スピーカ音量及びマイクロフォンの音量をナースコール親機の指示どおり増減する手段を備える。【選択図】図１
2007096559.tif 000002
【特許請求の範囲】
【請求項１】
ナースコール子機の呼び出し操作によってナースコール親機に呼び出しを報知し、前記ナースコール子機と前記ナースコール親機の間で通話が出来るナースコール装置であって、前記ナースコール親機からの操作で前記ナースコール子機との通話中に前記ナースコール子機のスピーカ及び／またはマイクロフォンの音量をそれぞれ独立に音量調節することが出来ることを特徴とするナースコール装置。
【請求項２】
請求項１において、前記ナースコール子機は前記ナースコール親機からの操作で設定された音量を記憶保持し、  前記ナースコール子機での独自の音量操作または前記ナースコール親機からの新たな操作によって音量変更されるまで記憶保持した音量を維持することを特徴とするナースコール装置。
【発明の詳細な説明】
【技術分野】
【０００１】
本発明は、病院や福祉介護施設で使用されるナースコール装置に関する。
【背景技術】
【０００２】
周知の様に、病院や福祉介護施設では主に看護師（福祉介護施設では介護士など）と患者が通話する為のナースコール装置が設置されている。  このナースコール装置では、患者が呼び出しに使用するナースコール子機が各ベッドに備えられ、ナースステーションにはナースコール親機が設置されていて、その間で通話できるようになっている。  （特許文献１を参照）
【特許文献１】特許第２８８７５５２号公報
【特許文献２】特許公開２００１−１８６２６６
【特許文献３】特許公開平成０８−１５０１８２
【発明の開示】
【発明が解決しようとする課題】
【０００３】
ナースコール装置には、ナースコール親機およびナースコール子機のそれぞれに音量調節の機能を持っていて、相手の音声が聞き取り難い時に調節することが出来る。  声が小さい患者や声があまり出せない患者との通話の際には、ナースコール親機側で受話音量を上げる。  受話音量を調節する例としては特許文献２に示す案が提案されている。  しかし、受話音量を上げることにも限界がある。  受話音量を上げると、ノイズも増幅されてしまうので聞きにくくなったり、大きくなった受話音が送話に回り込んでハウリングを引き起こしたりする。      そこで、受話音量を上げることに限界があるときに、隣接するベッドのナースコール子機に切り替えて通話する案が提案されている。（特許文献３を参照）
【０００４】
本発明は、患者の音声が小さくて受話音量の調節に限界がある場合でも正常に通話できることを課題とする。
【課題を解決するための手段】
【０００５】
ナースコール親機において、ナースコール子機との通話中にナースコール子機のスピーカ音量及びマイクロフォンの音量を増減できる操作手段を持ち、ナースコール親機での音量調節信号が音声を伝送する通信線に多重化されてナースコール子機へ送られる手段、または音声を伝送する通信線と独立した通信線によって音量調節信号が送られる手段と、音量調節信号を受けたナースコール子機は、スピーカ音量及びマイクロフォンの音量をナースコール親機の指示どおり増減する手段を備える。
【発明の効果】
【０００６】
患者の音声が小さい場合、ナースコール子機のマイクロフォン直後の増幅度を上げることによってＳ／Ｎ比を大きくすることが出来ること、従って伝送路上でのノイズに強くなりナースコール親機では明瞭な音声が聞けること、同時にナースコール子機のスピーカの音量を下げることに拠り、マイクロフォンへの音声の回りこみを減少させハウリングを防止できること、ナースコール親機側で音量調節すると音声が小さくない他のナースコール子機では不適切な音量になるが、ナースコール子機で音声が小さい患者個別に音量調節出来るので他への影響が無い、    などの効果が期待できる。
【発明を実施するための最良の形態】
【０００７】
以下、本発明の一実施形態を図面に基づいて説明する。
図１は、ナースコール装置の全体構成を示す。      ナースステーションにはナースコール親機（１７）が設置され、各病室にはナースコール子機（１８）が設けられる。    ナースコール親機（１７）と複数のナースコール子機（１８）は通信線（１９）で接続され、通信及び通話回線が形成される。  図１では通信線（１９）は有線で示してあるが、無線であっても良い。
【０００８】
ナースコール親機（１７）は、一般にマイクロコンピュータや通信制御部や時計部を含む制御処理部（５）が親機全体を制御する。  制御処理部（５）には操作／表示部（７）と選局／呼出表示部（９）が入出力部（８）を経由して接続され、また、音声を符号化または復調する音声ＣＯＤＥＣ（４）、  及びプログラムやデータが記憶されているメモリ部（１０）、及びナースコール子機（１８）と通信を行う子機通信インタフェース部（６）が接続される。
【０００９】
図１では、マイクロフォン（１）から入力された音声を音声ＣＯＤＥＣ（４）で符号化してデジタル信号として通信線（１９）に送り出し、ナースコール子機（１８）から符号化されて送られてきた音声を音声ＣＯＤＥＣ（４）で復調して増幅器（３）を経てスピーカ（２）に音声を出力している。  音声を符号化しないでアナログ信号のまま、または変調して送信しても良いが、図１では符号化して送信する例を示す。
【００１０】
ナースコール子機（１８）は、ナースコール親機（１７）からの通信をうける親機通信インタフェース部（１１）と、子機全体を制御する制御処理部（５）と、プログラムなどが記憶されているメモリ部（１０）と、患者から呼び出しがある時表示される代表／個別表示灯（１２）と、呼び出し状態をリセットする復旧ボタン（１４）と、患者がナースコールするとき用いるナースコール呼び出しボタン（１５）と、音声ＣＯＤＥＣ（４）や通話インタフェース部（１３）やマイクロフォン
（１）とスピーカ（２）などで構成される。
【００１１】
患者がナースコール呼び出しボタン（１５）を押すと、ナースコール子機の制御処理部（５）が呼び出しを検知し、ナースコール親機（１７）へ部屋番号やベッド番号または患者名を通信文に載せて通知する。  ナースコール親機（１７）では、制御処理部（５）が送信されてきた呼び出し信号と部屋番号やベッド番号または患者名を検知すると、    選局／呼出表示部（９）及び操作／表示部（７）に表示すると共に音を鳴動して看護師に知らせる。    看護師が送受話器（マイクロフォン（１）とスピーカ（２）に相当）を取り上げると、親機と子機の間で通話回線が形成されて通話することが出来る。  
【００１２】
患者の声が小さい場合、  看護師はナースコール親機の受話音量を上げることが一般に行われている。  受話音量を大きくするとノイズも大きくなって聞き取り難くなったり、ハウリングを起こして通話できない状態になる場合がある。
【００１３】
図２は、ナースコール親機の操作／表示部（７）において、ナースコール子機側の音量を調節する操作の一例を示す。    送話音量と受話音量を示す表示灯（２０）は紙面の左方向に音量が大きくなることを示す。  通話中に音量を上げる音量増量ボタン（２１）を押すと、音量表示灯（２０）の表示が左方向へ増加すると共に、  制御処理部（５）からナースコール子機（１８）へ音量調節信号を送り、それを受けたナースコール子機（１８）では制御処理部（５）から入出力部（８）を経由して可変増幅器（１６）の増幅度または減衰度を指示に応じて変更する。  
【００１４】
可変増幅器（１６）は電子ボリュームや抵抗器を電子スイッチで切り替える部品で構成され、増幅器や抵抗減衰器の増減を制御できるようになっている。
【００１５】
ナースコール親機から設定された音量は、ナースコール子機（１８）のメモリ部（１０）に記憶され、次の変更指示があるまで設定された音量を維持する。  この設定は各ナースコール子機ごとに記憶されるので、通話の度にナースコール親機で再度調節する必要がない。    ナースコール親機で音量調節をすると、通話する都度患者の声の大きさに合わせて調節しなければならない。
【００１６】
図３は、  ナースコール親機とナースコール子機の間で送信される伝送フォーマットを示したもので、音声と音量調節信号が時分割に多重化されているため、通話中でも音量を調節できることを説明する図である。    伝送フォーマット（２３）は、親機から子機への１フレーム分の伝送を、伝送フォーマット（２４）は、子機から親機への１フレーム分の伝送を示す。  このフレームは１秒間に何回もサイクリックに送信される。
【００１７】
伝送フォーマット（２３）の制御信号の中には音量調節信号が含まれ、音量変更要求フラッグ、
送話音量レベル、受話音量レベルがナースコール子機へ送られる。  
【００１８】
伝送フォーマット（２４）の子機情報の中には音量変更の指示を受けて、変更したことを示す音量変更確認の信号が含まれている。  ナースコール親機は、この信号を受けて正常に音量変更が行われたことを確認できる。
【００１９】
図３では、音声と音量調節信号を多重化して同一の通信線で伝送することを示したが、音声を送る通信線と制御信号を送る通信線が独立していれば、多重化せずに送信する。
【図面の簡単な説明】
【００２０】
【図１】ナースコール装置の全体構成
【図２】ナースコール親機において子機側の音量を調節する操作の一例
【図３】ナースコール親機とナースコール子機の間で送信される伝送フォーマット
【符号の説明】
【００２１】
1.           
マイクロフォン
2.           
スピーカ
3.           
増幅器
4.           
音声ＣＯＤＥＣ
5.           
制御処理部
6.           
子機通信インタフェース部
7.           
操作／表示部
8.           
入出力部
9.           
選局／呼出表示部
10.    メモリ部
11.    親機通信インタフェース部
12.    代表／個別表示灯
13.    通話インタフェース部
14.    復旧ボタン
15.    ナースコール呼び出しボタン
16.    可変増幅器
17.    ナースコール親機
18.    ナースコール子機
19.    通信線
20.    送話／受話音量表示灯
21.    音量増量ボタン
22.    音量減量ボタン
23.    ナースコール親機からナースコール子機へ送信される伝送フォーマット
24.    ナースコール子機からナースコール親機へ送信される伝送フォーマット
【図１】
2007096559.tif 000003
【図２】
2007096559.tif 000004
【図３】
2007096559.tif 000005